(57)【要約】【課題】グレアを低減できる照明器具を提供する。【解決手段】照明器具１０は、灯具本体９０と、灯具本体９０の内部に配置される光源７０と、光源７０からの光の配光を制御するレンズ６０と、レンズ６０の外周を囲み、光源７０からの光を吸収する光吸収部材８０とを備え、光吸収部材８０の光源７０寄りの端部８３は、光源７０及びレンズ６０から離隔されている。【選択図】図４
2019012617.tif 000002
【特許請求の範囲】
【請求項１】
灯具本体と、
前記灯具本体の内部に配置される光源と、
前記光源からの光の配光を制御するレンズと、
前記レンズの外周を囲み、前記光源からの光を吸収する光吸収部材とを備え、
前記光吸収部材の前記光源寄りの端部は、前記光源及び前記レンズから離隔されている
照明器具。
【請求項２】
前記光吸収部材は、前記光源の光軸方向において、前記レンズの前記光源寄りの端部より前記光源側に延びる遮光壁を有する
請求項１に記載の照明器具。
【請求項３】
前記遮光壁は、切り欠き部を有する
請求項２に記載の照明器具。
【請求項４】
前記光吸収部材の前記光源寄りの端部は、前記レンズの前記光源寄りの端部より、前記光源の光軸方向において前記光源から遠い位置に配置される
請求項１に記載の照明器具。
【請求項５】
前記灯具本体の内部に配置され、前記光吸収部材を保持する保持部材をさらに備える
請求項１〜４のいずれか１項に記載の照明器具。
【請求項６】
前記保持部材は、前記灯具本体の内部に取り付けられるバネである
請求項５に記載の照明器具。
【請求項７】
前記保持部材は、前記灯具本体の内部に形成された突出部である
請求項５に記載の照明器具。
【請求項８】
前記レンズは前記光吸収部材の前記光源から遠い側の端部において保持される
請求項１〜７のいずれか１項に記載の照明器具。
【発明の詳細な説明】
【技術分野】
【０００１】
本発明は、レンズを備える照明器具に関する。
【背景技術】
【０００２】
従来の照明器具、例えばスポットライト用の照明器具では、光を出射する開口部を有する灯具本体と、灯具本体の内部に取り付けられた光源と、この光源からの出射光の配光を制御する反射部材及びレンズとを備えている（例えば、特許文献１など参照）。
【０００３】
特許文献１に開示された照明器具では、レンズに直接入射されない光を反射部材で反射させることによって、間接的にレンズに入射している。これにより、照明器具からの出射光量を増大させようとしている。
【先行技術文献】
【特許文献】
【０００４】
【特許文献１】特開２０１７−２７８９９号公報
【発明の概要】
【発明が解決しようとする課題】
【０００５】
しかしながら、特許文献１に開示された照明器具では、光源からの光が反射部材で乱反射する場合がある。反射部材で乱反射した光は、グレアの原因となり、照明器具の外観品質を低下させ得る。
【０００６】
そこで、本発明は、グレアを低減できる照明器具を提供する。
【課題を解決するための手段】
【０００７】
上記課題を解決するために、本発明に係る照明器具の一態様は、灯具本体と、前記灯具本体の内部に配置される光源と、前記光源からの光の配光を制御するレンズと、前記レンズの外周を囲み、前記光源からの光を吸収する光吸収部材とを備え、前記光吸収部材の前記光源寄りの端部は、前記光源及び前記レンズから離隔されている。
【発明の効果】
【０００８】
本発明によれば、グレアを低減できる照明器具を提供することができる。
【図面の簡単な説明】
【０００９】
【図１】図１は、実施の形態１に係る照明器具の外観を示す斜視図である。
【図２】図２は、実施の形態１に係る照明器具の一部分解斜視図である。
【図３】図３は、実施の形態１に係る照明器具の断面図である。
【図４】図４は、実施の形態１に係る照明器具の一部拡大断面図である。
【図５】図５は、実施の形態２に係る照明器具の断面図である。
【図６】図６は、実施の形態３に係る照明器具の断面図である。
【図７】図７は、実施の形態３に係る光吸収部材の形状を示す斜視図である。
【発明を実施するための形態】
【００１０】
以下、本発明の実施の形態について、図面を参照しながら説明する。なお、以下に説明する実施の形態は、いずれも本発明の一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
（実施の形態１）
［１−１．構成］
実施の形態１に係る照明器具の構成について図面を用いて説明する。
【００１３】
図１は、本実施の形態に係る照明器具１０の外観を示す斜視図である。図２は、本実施の形態に係る照明器具１０の一部分解斜視図である。図２では、照明器具１０のうち、バッフル４０、規制部材５０、レンズ６０、光源７０、光吸収部材８０及び保持部材１００が分解されて示されている。図３は、本実施の形態に係る照明器具１０の断面図である。図３には、照明器具１０の光源７０の光軸Ｊを通る断面が示されている。図４は、本実施の形態に係る照明器具１０の一部拡大断面図である。図４には、図３に記載された破線枠ＩＶの内部が拡大されて示されている。
【００１４】
図１及び図２に示されるように、照明器具１０は、スポットライトであり、バッフル４０と、レンズ６０と、灯具本体９０と、アーム９７と、電源ボックス９８とを備える。また、図２及び図３に示されるように、照明器具１０は、さらに、規制部材５０と、光源７０と、光吸収部材８０と、保持部材１００とを備える。また、図３に示されるように、照明器具１０は、基台９２をさらに備える。以下、照明器具１０の各構成要素について説明する。なお、本実施の形態において、光源７０の光出射側を前方側とし、前方側の反対側を後方側としている。
【００１５】
［１−１−１．灯具本体］
灯具本体９０は、光源７０が内部に配置され、光源７０からの光を外部に出射する筒状の部材である。灯具本体９０には、側方開口部９１が形成されている。側方開口部９１は、灯具本体９０の側面に設けられたスリット状の開口部であり、アーム９７が配置される。
【００１６】
図３に示されるように、灯具本体９０の内部には、光源７０に加えて、バッフル４０、規制部材５０、レンズ６０、光吸収部材８０、保持部材１００、基台９２などが配置される。
【００１７】
灯具本体９０は、例えば、アルミニウムなどの金属材料で形成される。本実施の形態では、灯具本体９０は、例えばアルミダイカスト工程を経て形成される。
【００１８】
［１−１−２．基台］
基台９２は、図３に示されるように、灯具本体９０の内部に配置され、光源７０及びアーム９７が取り付けられる部材である。基台９２は、光源７０から発生した熱を放熱するヒートシンクとしても機能する。基台９２は、図示しないねじなどを用いて灯具本体９０に固定される。
【００１９】
基台９２は、光源７０の周囲に前方側に向かって立設された遮光部９５を有する。遮光部９５は、光源７０から、光軸Ｊに垂直に近い方向に出射される光を遮断する。これにより、光源７０から出射された光が光源７０の後方側に配置された側方開口部９１から漏れ出ることを抑制できる。
【００２０】
基台９２は、例えば、アルミニウムなどの金属材料で形成される。本実施の形態では、灯具本体９０は、例えばアルミダイカスト工程を経て形成される。
【００２１】
［１−１−３．光源］
光源７０は、図２及び図３に示されるように、灯具本体９０の内部に配置され、照明器具１０の出射光を生成する発光部である。本実施の形態では、光源７０は、ＬＥＤ（Ｌｉｇｈｔ  Ｅｍｉｔｔｉｎｇ  Ｄｉｏｄｅ）を有する発光モジュールであって、所定の光を放射状に出射するＬＥＤ光源である。光源７０は、例えば白色光を出射するように構成されている。光源７０は、ＣＯＢ（Ｃｈｉｐ  Ｏｎ  Ｂｏａｒｄ）型ＬＥＤで構成され、図２及び図３に示されるように、基板７２と、基板７２上に実装されたベアチップ（ＬＥＤチップ）である複数のＬＥＤ７１と、それらＬＥＤ７１を封止し、蛍光体を含む封止部材とを備える。なお、本実施の形態では、封止部材は全てのＬＥＤ７１を一括封止しているが、封止部材の構成はこれに限られない。ライン状に配列されたＬＥＤ７１の配列方向に沿って複数本のライン状に封止部材を形成する構成としてもよい。
【００２２】
光源７０は、図３に示される基台９２に取り付けられ、光軸Ｊに沿って光を出射する。光源７０の基台９２への取り付け方法は、特に限定されない。光源７０は、他の部材を用いて基台９２に取り付けられてもよいし、接着材などで基台９２に接着されてもよい。
【００２３】
基板７２は、複数のＬＥＤ７１を実装するための実装基板であって、例えばセラミックス基板、樹脂基板又は絶縁被覆されたメタルベース基板などである。また、基板７２は、例えば平面視において矩形である平面を有する板状であり、基板７２の底面（つまり、後方側の面）が基台９２に取り付けられて固定される。なお、図示しないが、基板７２には、ＬＥＤ７１（光源７０）を発光させるための直流電力を外部からリード線などを介して受電するための一対の電極端子（正電極端子及び負電極端子）が形成されている。
【００２４】
［１−１−４．レンズ］
レンズ６０は、光源７０からの光の配光を制御する透光性の光学素子である。本実施の形態では、レンズ６０は、レンズ６０に入射する光を集光する集光レンズである。また、レンズ６０は、光出射側に形成されたレンズ構造がフレネル化されたフレネルレンズである。
【００２５】
図２及び図３に示されるように、レンズ６０は、光源７０の前方に配置される。具体的には、レンズ６０は、光源７０と所定の間隔をあけて、光源７０の光出射側に配置される。したがって、レンズ６０は、光源７０から出射してレンズ６０に入射する光の配光を制御する。レンズ６０は、例えば、光源７０から出射する光をコリメートする。レンズ６０の光軸は、光源７０の光軸Ｊと略一致しているとよい。
【００２６】
レンズ６０は、所定のレンズ作用を有するように、所定の形状で形成されている。また、レンズ６０は、透光性材料を用いて形成されている。具体的には、レンズ６０は、アクリル、ポリカーボネート等の透明樹脂材料又はガラス材料等の透明材料を用いて、金型等によって所定の形状に成形される。
【００２７】
ここで、レンズ６０の具体的な形状について、図４を用いて説明する。
【００２８】
図４に示されるように、レンズ６０は、後方側（つまり、光源７０側）に形成された第１突出部６１と、前方側（つまり、光源７０側とは反対側）に形成された第２突出部６２とを有する。
【００２９】
第１突出部６１は、レンズ６０の光入射側の外周部に環状に形成されている。具体的には、第１突出部６１は、光源７０を囲むように光源７０側に向かって突出している。本実施の形態において、第１突出部６１は、図４に示されるように、光軸Ｊを通る断面視で略三角形状であり、光源７０側に向かうに従って先細になっている。
【００３０】
また、レンズ６０に第１突出部６１を形成することによって、レンズ６０には凹部６５が形成される。凹部６５は、光源７０から離れる方向に凹むように形成される。
【００３１】
第１突出部６１によって構成される凹部６５は、光源７０に対向する位置に形成される。具体的には、凹部６５は、光源７０の発光部を覆うように設けられている。光源７０から出射した光は、凹部６５に入射する。このため、第１突出部６１の内面は、凹部６５の内面の一部を構成する光入射面６１ａとなる。一方、第１突出部６１の外面は、光入射面６１ａから第１突出部６１に入射した光を全反射する光反射面６１ｂである。第１突出部６１の先端部は、レンズ６０の光源７０寄りの端部６４であり、光入射面６１ａと光反射面６１ｂとの接続部を構成している。
【００３２】
第２突出部６２は、第１突出部６１により構成される凹部６５の内面から入射する光の配光を制御する。図２及び図３に示されるように、第２突出部６２は、レンズ６０の光出射側に同心円環状に複数形成されている。第２突出部６２は、凹部６５と背向する位置に形成されている。複数の第２突出部６２は、フレネルレンズの輪帯を構成している。
【００３３】
図４に示されるように、第３突出部６３は、第１突出部６１とは反対側に突出する第３透光部である。図３及び図５に示されるように、第３突出部６３は、第２突出部６２を囲むように環状に形成されている。第３突出部６３は、断面視で略三角形状であり、光源７０から遠ざかるに従って先細になっている。
【００３４】
図４に示されるように、第３突出部６３の外面は、第１突出部６１の外面と連続する。つまり、第３突出部６３の外面は、第１突出部６１の外面と同様に、凹部６５の内面（つまり、光入射面６１ａ）から第３突出部６３に入射した光を全反射する光反射面６１ｂである。
【００３５】
また、第３突出部の内面には、環状の段差部６６が形成されている。段差部６６は、複数の段によって構成されており、階段状をなしている。段差部６６の各段は、光源７０に近づくにつれて内径が小さくなっている。
【００３６】
このように構成されるレンズ６０は、図４に示されるように、光吸収部材８０に固定される。本実施の形態において、レンズ６０は、灯具本体９０に固定された光吸収部材８０を介して灯具本体９０に固定されている。
【００３７】
図２に示されるように、レンズ６０には、周縁部に、三つの被係止部６７が設けられている。本実施の形態では、被係止部６７は、レンズ６０の光出射面に設けられた凹状の形状を有する部分である。レンズ６０の被係止部６７が光吸収部材８０の爪部８１に係止されることによって、レンズ６０が光吸収部材８０に係止される。これにより、レンズ６０は、光吸収部材８０を介して灯具本体９０に取り付けられる。
【００３８】
［１−１−５．光吸収部材］
光吸収部材８０は、レンズ６０の外周を囲み、光源７０からの光を吸収する部材である。光吸収部材８０は、光軸Ｊが貫通する開口が形成された筒状の形状を有する。光吸収部材８０の少なくとも内側面は、光吸収面である。光吸収面の構成は、特に限定されないが、例えば、黒色に塗装した面であってもよいし、黒色の材料からなる面であってもよい。光吸収部材８０は、例えばポリブチレンテレフタレート（ＰＢＴ）など硬質の樹脂材料を用いて形成することができる。
【００３９】
光吸収部材８０は、灯具本体９０内において保持部材１００によって保持される。より詳細には、光吸収部材８０は、その光源７０寄りの端部８３が保持部材１００に当接することによって、光軸Ｊ方向に沿って光源７０に向かって移動することが規制される。
【００４０】
また、光吸収部材８０は、灯具本体９０内において規制部材５０によって、位置が規制される。より詳細には、光吸収部材８０は、その前方側の端部８４が規制部材５０に当接することによって、光軸Ｊ方向に沿って前方側に向かって移動することが規制される。つまり、光吸収部材８０の光軸Ｊ方向における位置は、保持部材１００と規制部材５０とに挟まれることによって所定の位置に規制される。
【００４１】
光吸収部材８０は、レンズ６０を保持する。本実施の形態では、光吸収部材８０は、光源７０から遠い側の端部８４においてレンズ６０を保持する。より具体的には、図２に示されるように、光吸収部材８０は、端部８４に設けられた三つの爪部８１を有する。図４に示されるように、光吸収部材８０は、各爪部８１によってレンズ６０の各被係止部６７を係止することでレンズ６０を保持する。このように、樹脂材料などで形成された光吸収部材８０がレンズ６０を保持する場合、金属で形成された灯具本体９０がレンズ６０を保持する場合より、簡易にレンズ６０の保持構造を形成できる。
【００４２】
光吸収部材８０の詳細構成及び作用については、後で詳述する。
【００４３】
［１−１−６．保持部材］
保持部材１００は、灯具本体９０の内部に配置され、光吸収部材８０を保持する部材である。本実施の形態では、保持部材１００は、灯具本体９０の内部に取り付けられるバネである。図２に示されるように、保持部材１００は、Ｃ字状の形状を有し、三つの当接部１０１を有する。図４に示されるように、保持部材１００は、灯具本体９０の内面に形成された環状の保持溝９６に配置される。三つの当接部１０１は、灯具本体９０の内面から光軸Ｊに向かって突出し、光吸収部材８０の端部８３に当接する。これにより、保持部材１００は、光吸収部材８０が光源７０に向かって移動することを規制する。このような保持部材１００を用いることにより、簡素化された構成で光吸収部材８０を灯具本体９０内に保持できる。
【００４４】
保持部材１００は、例えば、ステンレスなどの線状の金属部材を用いて形成される。
【００４５】
［１−１−７．規制部材］
規制部材５０は、灯具本体９０の内部に配置され、光吸収部材８０の位置を規制する部材である。本実施の形態では、規制部材５０は、灯具本体９０の内部に取り付けられるバネである。図２に示されるように、規制部材５０は、Ｃ字状の形状を有し、三つの規制部５１を有する。図４に示されるように、規制部材５０は、灯具本体９０の内面に形成された環状の規制溝９４に配置される。三つの規制部５１は、灯具本体９０の内面から光軸Ｊに向かって突出し、光吸収部材８０の端部８４に当接する。これにより、規制部材５０は、光吸収部材８０が前方側に向かって移動することを規制する。
【００４６】
規制部材５０は、例えば、ステンレスなどの線状の金属部材を用いて形成される。
【００４７】
［１−１−８．バッフル］
バッフル４０は、灯具本体９０の筒状のセード部の内部に配置され、灯具本体９０の内面におけるグレアを抑制するための部材である。バッフル４０は、図３及び図４に示されるように、灯具本体９０の内部であって、レンズ６０の前方側に配置される。具体的には、バッフル４０は、灯具本体９０のセード部の内部に配置されている。バッフル４０は、光軸Ｊが貫通する開口が形成された筒状の形状を有する。
【００４８】
図１及び図３に示されるように、バッフル４０は、灯具本体９０の前方側端部付近に配置される。バッフル４０の内面（光軸Ｊ側の面）は、グレア抑制面である。これにより、灯具本体９０の前方側端部付近の内面におけるグレアが抑制される。
【００４９】
バッフル４０の内面は、グレア抑制面であれば、特に限定されない。グレア抑制面は、例えば、黒色に塗装した面に艶消し処理を施すことにより実現できる。また、黒色のグレア抑制面は、黒色に塗装した面、又は、黒色の部材からなる面に、シボ加工を施すことによっても実現できる。さらに、バッフル４０の内面におけるグレアをさらに抑制するために、図４などに示されるように、バッフル４０の内面に段差部を設けてもよい。
【００５０】
バッフル４０は、図２及び図４に示されるように、外周に突起４２を有する。バッフル４０は、図４に示されるように、突起４２が灯具本体９０の内面に形成された係止溝９３に係止されることにより、灯具本体９０の内部に保持される。
【００５１】
バッフル４０は、例えば、ポリカーボネート、ＰＢＴなどの樹脂材料を用いて形成することができる。
【００５２】
［１−１−９．アーム］
図１〜図３に示されるアーム９７は、一端部が電源ボックス９８に接続され、かつ、他端部が基台９２に接続される部材である。アーム９７は、灯具本体９０の側方開口部９１を介して灯具本体９０の内部に挿入される。
【００５３】
また、アーム９７の内部には、長手方向に挿通孔が形成されており、当該挿通孔内に電源ボックス９８と光源７０とを接続するリード線（図示せず）が配置される。
【００５４】
アーム９７は、アルミニウムなどの金属材料で形成される。本実施の形態では、アーム９７は、例えばアルミダイカスト工程を経て形成される。
【００５５】
［１−１−１０．電源ボックス］
図１及び図２に示される電源ボックス９８は、光源７０に電力を供給する電源回路が内蔵された筐体である。本実施の形態では、電源ボックス９８に内蔵された電源回路は、電源ボックス９８の外部から供給された交流電力を直流電力に変換し、当該直流電力を、リード線を介して光源７０のＬＥＤ７１に供給する。
【００５６】
電源ボックス９８の外壁部分は、金属材料、樹脂材料などから形成される。本実施の形態では、例えば、当該外壁部分は、アルミニウムで形成される。
【００５７】
［１−２．光吸収部材の詳細構成及び作用］
続いて、光吸収部材８０の詳細構成及び作用について説明する。
【００５８】
上述したとおり、光吸収部材８０は、レンズ６０の外周を囲み、光源７０からレンズ６０に直接入射されない光の一部を吸収する。これにより、光源７０からの光のうち、レンズ６０に直接入射されない光に起因するグレアを低減できる。なお、光吸収部材８０により、照明器具１０から出射される光量は、光吸収部材８０に代えて光反射部材などを用いる場合より減少し得る。しかしながら、減少する光量は主にグレア成分が低減されることに起因する。つまり、照明器具１０から出射される光量のうち、利用上有効な成分は実質的に減少しない。
【００５９】
このような光吸収部材８０は、光源７０からの光を吸収することによって、温度が上昇し得る。また、光源７０自体も発熱し、高温となるため、光源７０において発生した熱が光吸収部材８０に伝達され得る。これに伴い光吸収部材８０から、熱輻射によって、周囲に配置された部材に熱が伝えられる。特に、光吸収部材８０の内側に配置されたレンズ６０に対する熱の影響を考慮する必要がある。レンズ６０は、光吸収部材８０を形成するＰＢＴなどより耐熱性能が低いアクリルなどで形成されるため、光吸収部材８０からの輻射熱によって変形などの悪影響を被り得る。
【００６０】
そこで、本実施の形態では、光吸収部材８０の光源７０寄りの端部８３は、光源７０及びレンズ６０から離隔されている。このように、光吸収部材８０の光源７０寄りの端部８３が光源７０から離隔されていることにより、光吸収部材８０に光源７０から伝達される熱量を低減できる。また、光吸収部材８０のうち最も高温となり得る光源７０寄りの端部８３が、レンズ６０から離隔されていることから、光吸収部材８０からレンズ６０に伝達される熱量を低減できる。
【００６１】
また、本実施の形態では、光吸収部材８０の光源７０寄りの端部８３は、レンズ６０の光源７０寄りの端部６４より、光源７０の光軸Ｊ方向において光源７０から遠い位置に配置される。これにより、光吸収部材８０を光源７０から十分に離隔することができるため、光吸収部材８０に光源７０から伝達される熱量を低減できる。
【００６２】
［１−３．まとめ］
以上のように、本実施の形態に係る照明器具１０は、灯具本体９０と、灯具本体９０の内部に配置される光源７０と、光源７０からの光の配光を制御するレンズ６０と、レンズ６０の外周を囲み、光源７０からの光を吸収する光吸収部材８０とを備える。光吸収部材８０の光源７０寄りの端部８３は、光源７０及びレンズ６０から離隔されている。
【００６３】
このように、レンズ６０の外周を囲む光吸収部材８０を備えることにより、光源７０からレンズ６０に直接入射しない光の少なくとも一部が光吸収部材８０によって吸収される。このため、レンズ６０に直接入射しない光に起因するグレアを低減できる。また、光吸収部材８０の光源７０寄りの端部８３が光源７０から離隔されていることにより、光吸収部材８０に光源７０から伝達される熱量を低減できる。また、光吸収部材８０のうち最も高温となり得る光源７０寄りの端部８３が、レンズ６０から離隔されていることから、光吸収部材８０からレンズ６０に伝達される熱量を低減できる。
【００６４】
また、照明器具１０において、光吸収部材８０の光源７０寄りの端部８３は、レンズ６０の光源７０寄りの端部６４より、光源７０の光軸Ｊ方向において光源７０から遠い位置に配置されてもよい。
【００６５】
これにより、光吸収部材８０を光源７０から十分に離隔することができるため、光吸収部材８０に光源７０から伝達される熱量を低減できる。
【００６６】
また、照明器具１０において、灯具本体９０の内部に配置され、光吸収部材８０を保持する保持部材１００を備えてもよい。
【００６７】
これにより、光吸収部材８０の灯具本体９０内における位置を規制できる。
【００６８】
また、照明器具１０において、保持部材１００は、灯具本体９０の内部に取り付けられるバネであるでもよい。
【００６９】
これにより、簡素化された構成で光吸収部材８０を灯具本体９０内に保持できる。
【００７０】
また、照明器具１０において、レンズ６０は光吸収部材８０の光源７０から遠い側の端部８４において保持されてもよい。
【００７１】
このように、樹脂材料などで形成された光吸収部材８０がレンズ６０を保持する場合、金属で形成された灯具本体９０がレンズ６０を保持する場合より、簡易にレンズ６０の保持構造を形成できる。
【００７２】
（実施の形態２）
実施の形態２に係る照明器具について説明する。本実施の形態に係る照明器具は、主に、光吸収部材を保持する保持部材の構成において、実施の形態１に係る照明器具１０と相違する。以下、本実施の形態に係る照明器具について、実施の形態１に係る照明器具１０との相違点を中心に図面を用いて説明する。
【００７３】
図５は、本実施の形態に係る照明器具１１０の断面図である。図５には、照明器具１１０の光源７０の光軸Ｊを通る断面が示されている。
【００７４】
図５に示されるように、本実施の形態に係る照明器具１１０は、スポットライトである。照明器具１１０は、実施の形態１に係る照明器具１０と同様に、バッフル４０と、規制部材５０と、レンズ６０と、灯具本体１９０と、基台１９２と、アーム９７と、光源７０と、光吸収部材８０と、保持部材１９６とを備える。また、図５には示されないが、照明器具１１０は、実施の形態１に係る照明器具１０と同様に電源ボックス９８を備える。
【００７５】
本実施の形態に係る照明器具１１０は、主に、保持部材１９６、灯具本体１９０及び基台１９２の構成において、実施の形態１に係る照明器具１０と相違する。本実施の形態においては、光吸収部材８０を保持する保持部材１９６は、灯具本体１９０の内部に形成された突出部である。図５に示されるように、灯具本体１９０の内部に形成された保持部材１９６が、光吸収部材８０の光源７０寄りの端部８３と当接する。これにより、光吸収部材８０が、光源７０に向かって移動することを規制する。また、光吸収部材８０の前方側への移動は、実施の形態１に係る照明器具１０と同様に規制部材５０によって規制される。これにより、光吸収部材８０の光軸Ｊ方向における移動が規制される。このように、本実施の形態では、保持部材１９６が灯具本体１９０の内部に形成された突出部であるため、灯具本体１９０と別体の保持部材を用いる場合より、照明器具１１０の組み立てが容易となる。
【００７６】
また、本実施の形態では、図５に示されるように、基台１９２は、灯具本体１９０と一体化されている。これにより、灯具本体１９０と別体の本体を用いる場合より、照明器具１１０の組み立てが容易となる。さらに、基台１９２から灯具本体１９０への熱伝導性が向上するため、基台１９２だけでなく灯具本体１９０も、光源７０のヒートシンクとして機能する。したがって、照明器具１１０の放熱性能を高めることができる。
【００７７】
（実施の形態３）
実施の形態３に係る照明器具について説明する。本実施の形態に係る照明器具は、主に、光吸収部材の構成において、上記各実施の形態と相違する。以下、本実施の形態に係る照明器具について、実施の形態１に係る照明器具との相違点を中心に図面を用いて説明する。
【００７８】
図６は、本実施の形態に係る照明器具２１０の断面図である。図６には、照明器具２１０の光源７０の光軸Ｊを通る断面が示されている。図７は、本実施の形態に係る光吸収部材２８０の形状を示す斜視図である。
【００７９】
図６に示されるように、本実施の形態に係る照明器具２１０は、スポットライトである。照明器具２１０は、実施の形態１に係る照明器具１０と同様に、バッフル４０と、レンズ６０と、灯具本体２９０と、基台２９２と、アーム９７と、光源７０と、光吸収部材２８０と、保持部材２８９とを備える。また、図６には示されないが、照明器具２１０は、実施の形態１に係る照明器具１０と同様に電源ボックス９８を備える。
【００８０】
本実施の形態に係る灯具本体２９０は、主に、保持部材及び規制部材が配置される溝が形成されていない点において実施の形態１に係る灯具本体９０と相違する。後述するように、本実施の形態では、光吸収部材２８０は、基台２９２を介して灯具本体２９０に保持される。
【００８１】
本実施の形態に係る光吸収部材２８０は、図６及び図７に示されるように、光源７０の光軸Ｊ方向において、レンズ６０の光源７０寄りの端部６４より光源７０側に延びる遮光壁２８５を有する。これにより、光源７０からの光が、光源７０の後方側に配置された側方開口部２９１から漏れ出ることを低減できる。したがって、照明器具２１０の外観品質を高めることができる。本実施の形態に係る光吸収部材２８０は、光源７０付近まで遮光壁２８５が延びても遮光壁２８５などにおける熱の影響が抑制される場合に適用できる。例えば、光源７０から出射される光量が比較的少なく、発熱量が少ない照明器具において適用できる。
【００８２】
光吸収部材２８０の遮光壁２８５は、切り欠き部２８６を有する。これにより、図６に示されるように、電源ボックス９８から光源７０に電力を供給するためのリード線９９を、切り欠き部２８６を介して光吸収部材２８０の外部から光源７０まで導くことができる。したがって、リード線９９が、遮光壁２８５と基台２９２との間に挟まることを抑制できる。
【００８３】
光吸収部材２８０は、遮光壁２８５の光源７０寄りの端部に固定部２８７を有する。固定部２８７は、基台２９２の光源７０配置面と略平行に配置された平板状の部分である。固定部２８７には、貫通孔２８８が形成されている。また、本実施の形態では、保持部材２８９は、貫通孔２８８を介して基台２９２に形成されたねじ穴２９３に捻じ込まれるねじである。このような保持部材２８９により、光吸収部材２８０は、基台２９２を介して灯具本体２９０に安定的に保持される。また、これにより、上記各実施の形態で用いた規制部材が不要となる。
【００８４】
（変形例など）
以上、本発明に係る照明器具について、各実施の形態に基づいて説明したが、本発明は、これらの実施の形態に限定されるものではない。
【００８５】
例えば、上記実施の形態では、レンズ６０は、フレネルレンズであったが、レンズ６０はこれに限定されない。レンズ６０は、例えば、ハイブリッドレンズ、ドーム型レンズなどでもよい。
【００８６】
また、実施の形態３では、保持部材は、ねじであったが、実施の形態３においても、実施の形態１又は実施の形態２と同様の保持部材及び規制部材を用いてもよい。
【００８７】
また、光吸収部材は、レンズ６０の外周全体を覆わなくてもよい。光吸収部材は、例えば、レンズ６０の外周の一部を覆わない構成であってもよい。つまり、光吸収部材は、光軸Ｊ方向視において、Ｃ字状の形状を有してもよい。
【００８８】
また、上記各実施の形態では、照明器具の一例としてスポットライトを示したが、これに限定されない。例えば、照明器具は、ダウンライトなどであってもよい。
【００８９】
また、上記実施の形態においては、光源７０において、ＣＯＢ型ＬＥＤを用いたが、他の発光素子を用いてもよい。例えば、ＳＭＤ（Ｓｕｒｆａｃｅ  Ｍｏｕｎｔ  Ｄｅｖｉｃｅ）型ＬＥＤを用いてもよい。また、有機ＥＬ（Ｅｌｅｃｔｒｏ  Ｌｕｍｉｎｅｓｃｅｎｃｅ）素子など他の固体発光素子、又は、固体発光素子以外の他の光源を用いてもよい。
【００９０】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【００９１】
１０、１１０、２１０  照明器具
６０  レンズ
６４、８３  端部
７０  光源
８０、２８０  光吸収部材
９０、１９０、２９０  灯具本体
１００、１９６、２８９  保持部材
２８５  遮光壁
２８６  切り欠き部
Ｊ光軸
【図１】
2019012617.tif 000003
【図２】
2019012617.tif 000004
【図３】
2019012617.tif 000005
【図４】
2019012617.tif 000006
【図５】
2019012617.tif 000007
【図６】
2019012617.tif 000008
【図７】
2019012617.tif 000009